(57)【特許請求の範囲】
【請求項１】
軸方向両端に流入口および流出口が形成された筒状のケーシング内に、上記流入口を開閉する弁体と、該弁体を上記流入口へ付勢するバネと、該バネのバネ受け部材とを備え、上記ケーシングには、内周面から突出して形成され、その先端面に上記バネ受け部材の外縁部が上記ケーシングの周方向に挿入されて支持される周方向溝が形成された複数の支持部が設けられる一方、上記バネ受け部材が上記ケーシングの周方向に回転するのを防止する回転防止機構を備えた逆止弁であって、
上記回転防止機構は、上記バネ受け部材の外縁部に上記ケーシングの軸方向に締結されると共に、頭部が上記支持部の上記ケーシングの周方向一端側に当たる位置に締結され、頭部が上記支持部に当たることによって上記バネ受け部材の回転が防止されるネジと、上記バネ受け部材の外縁部の一部が上記ケーシングの軸方向に折り曲げられて形成され、上記ネジが当たる上記支持部と同じまたは別の上記支持部の上記ケーシングの周方向他端側に当たる折り曲げ片とで構成されていることを特徴とする逆止弁。
【請求項２】
軸方向両端に流入口および流出口が形成された筒状のケーシング内に、上記流入口を開閉する弁体と、該弁体を上記流入口へ付勢するバネと、該バネのバネ受け部材とを備え、上記ケーシングには、内周面から突出して形成され、その先端面に上記バネ受け部材の外縁部が上記ケーシングの周方向に挿入されて支持される周方向溝が形成された複数の支持部が設けられる一方、上記バネ受け部材が上記ケーシングの周方向に回転するのを防止する回転防止機構を備えた逆止弁であって、
上記支持部の少なくとも１つは、その先端面に上記ケーシングの軸方向に延びる軸方向溝が形成され、
上記回転防止機構は、上記バネ受け部材の外縁部に上記ケーシングの軸方向に締結されると共に、頭部の少なくとも一部が上記軸方向溝に嵌る位置に締結され、頭部が上記支持部に当たることによって上記バネ受け部材の回転が防止されるネジで構成されていることを特徴とする逆止弁。
【発明の詳細な説明】
【技術分野】
【０００１】
本発明は、一方向の流体流れのみを許容する逆止弁に関する。
【背景技術】
【０００２】
従来より、弁体を流入口へ付勢するバネを備えた逆止弁が例えば特許文献１に開示されている。この逆止弁は、流体の流入口（入口）および流出口（出口）を有するケーシング内に、流入口を開閉する弁体と、該弁体の下流側に設けられて該弁体を流入口へ付勢するコイルバネと、該コイルバネの下流側に設けられて該コイルバネを支持するバネ受け部材（バネ受け）とを備えている。バネ受け部材は、その外縁部が、ケーシングの内周面に突出して形成されたリブの溝に周方向（ケーシング内周面の周方向）に挿入されることによって、ケーシングに支持されている。
【０００３】
上記の逆止弁では、流入口側の流体圧力が、流出口側の流体圧力とコイルバネの付勢力の合計よりも大きくなると、弁体が下流側へ変位して流入口が開く。これにより、流入口から流出口への流体の流れが許容される。また、流入口側の流体圧力が、流出口側の流体圧力とコイルバネの付勢力の合計よりも小さくなると、弁体が上流側へ変位して流入口が閉じられる。これにより、流出口から流入口への流体の流れは阻止される。
【先行技術文献】
【特許文献】
【０００４】
【特許文献１】特開２００９−２７５８５１号公報
【発明の概要】
【発明が解決しようとする課題】
【０００５】
ところで、特許文献１のような逆止弁では、バネ受け部材が周方向に回転してその外縁部がリブの溝から抜け出るのを防止するために、バネ受け部材の回転防止機構が設けられている。この回転防止機構の構成について、本願の図１および図３を参照しながら以下に説明する。なお、図１および図３に示すバネ受け部材３０は、特許文献１に記載のバネ受け部材とは形状が異なるが、機能およびケーシングに支持される態様は同じである。
【０００６】
ケーシング１０の内周面には複数のリブ１５が形成される一方、バネ受け部材３０の外縁部には各リブ１５の周方向溝１６に挿入される複数の突片３３，３４・・・が形成されている。そして、例えば２つの突片３３，３４は、やや中央に切欠き部３３ｃ，３４ｃが形成されて、左側片３３ａ，３４ａと右側片３３ｂ，３４ｂとに分かれている。一方の突片３３では左側片３３ａが周方向溝１６に挿入され、他方の突片３４では右側片３４ｂが周方向溝１６に挿入される。そして、突片３３の右側片３３ｂと突片３４の左側片３４ａはケーシング１０の軸方向に（例えば、流出口１２側へ）折り曲げられる。この折り曲げられる右側片３３ｂおよび左側片３４ａがバネ受け部材３０の回転防止機構を構成する。つまり、右側片３３ｂが折り曲げられることにより、その右側片３３ｂが左側片３３ａの挿入されるリブ１５の側面に当たるため、バネ受け部材３０が図３において左回りに回転するのを防止することができる。また、左側片３４ａが折り曲げられることにより、その左側片３４ａが右側片３４ｂの挿入されるリブ１５の側面に当たるため、バネ受け部材３０が図３において右回りに回転するのを防止することができる。こうして、バネ受け部材３０の回転が防止される。
【０００７】
しかしながら、上述した回転防止機構の構成では、点検やメンテナンスの際、バネ受け部材３０を取り外す作業に手間がかかるという問題があった。即ち、弁体２０やコイルバネ２５をケーシング１０の流出口１２から外部へ取り出すためにバネ受け部材３０を取り外す必要がある。バネ受け部材３０は、左回りまたは右回りに回転させて各突片３３，３４・・・をリブ１５の周方向溝１６から抜くことにより軸方向に取り出せるところ、そのためには回転防止機構として折り曲げられている右側片３３ｂおよび左側片３４ａの一方を工具で元の平板状に戻す必要があり、その戻し作業に手間を要していた。
【０００８】
本発明は、かかる事情に鑑みてなされたものであり、その目的は、バネ受け部材の取外し作業が容易となるバネ受け部材の回転防止機構を備えた逆止弁を提供することにある。
【課題を解決するための手段】
【０００９】
本発明は、上記目的を達成するために、バネ受け部材の外縁部にネジを締結し、ネジの頭部が支持部に当たることによってバネ受け部材の正逆回転の少なくとも一方の回転を防止するようにした。
【００１０】
具体的に、本発明は、軸方向両端に流入口および流出口が形成された筒状のケーシング内に、上記流入口を開閉する弁体と、該弁体を上記流入口へ付勢するバネと、該バネのバネ受け部材とを備え、上記ケーシングには、内周面から突出して形成され、その先端面に上記バネ受け部材の外縁部が上記ケーシングの周方向に挿入されて支持される周方向溝が形成された複数の支持部が設けられる一方、上記バネ受け部材が上記ケーシングの周方向に回転するのを防止する回転防止機構を備えた逆止弁を前提としている。そして、上記回転防止機構は、上記バネ受け部材の外縁部に上記ケーシングの軸方向に締結され、頭部が上記支持部に当たることによって上記バネ受け部材の回転が防止されるネジを有しているものである。
【発明の効果】
【００１１】
以上のように、本発明によれば、バネ受け部材の回転防止機構として、バネ受け部材の外縁部にネジをケーシングの軸方向に締結し、そのネジの頭部が支持部に当たることによってバネ受け部材の回転を防止するようにした。そのため、ネジを外すだけでバネ受け部材の少なくとも一方向の回転を許容することができる。これにより、バネ受け部材を回転させてバネ受け部材の外縁部を支持部の周方向溝から抜き出すことができ、バネ受け部材をケーシングの軸方向に取り出すことが可能になる。このように、ネジを外すだけでバネ受け部材を回転させることができるので、バネ受け部材の取外し作業が容易（簡易）となる。その結果、逆止弁の点検やメンテナンスが行いやすくなる。
【図面の簡単な説明】
【００１２】
【図１】図１は、実施形態１に係る逆止弁の概略構成を示す断面図である。
【図２】図２は、実施形態１に係る逆止弁を上流側から視て示す概略の正面図である。
【図３】図３は、実施形態１に係る逆止弁を下流側から視て示す概略の背面図である。
【図４】図４は、実施形態２に係る逆止弁の概略構成を示す断面図である。
【図５】図５は、実施形態２に係る逆止弁を上流側から視て示す概略の正面図である。
【図６】図６は、図４のＡ−Ａ線の断面図である。
【発明を実施するための形態】
【００１３】
以下、本発明の実施形態について図面を参照しながら説明する。なお、以下の実施形態は、本質的に好ましい例示であって、本発明、その適用物、あるいはその用途の範囲を制限することを意図するものではない。
【００１４】
（実施形態１）
本発明の実施形態１について図１〜図３を参照しながら説明する。本実施形態の逆止弁１は、液体や気体等の流体が流れる配管に設けられるものである。図１に示すように、逆止弁１は、ケーシング１０と、弁体２０と、コイルバネ２５と、バネ受け部材３０とを備えている。
【００１５】
ケーシング１０は、略円筒状に形成されており、軸方向が流体の流れ方向と一致している。ケーシング１０では、軸方向両端に流入口１１と流出口１２が形成されている。つまり、ケーシング１０は、上流側の一端に流入口１１が形成され、下流側の他端に流出口１２が形成されている。流入口１１および流出口１２は円形に形成されており（図２および図３参照）、流出口１２は流入口１１よりも開口面積が大きく形成されている。ケーシング１０は、内部が弁室１３となっている。流入口１１の内縁部には、環状の弁座１４が形成されている。
【００１６】
弁室１３には、上流側（流入口１１側）から順に、弁体２０、コイルバネ２５およびバネ受け部材３０が収容されている。ケーシング１０、弁体２０、コイルバネ２５およびバネ受け部材３０は、互いに同軸に設けられている。
【００１７】
弁体２０は、円盤形（ディスク形）に形成され、流入口１１を開閉するものである。つまり、弁体２０が弁座１４に着座すると流入口１１が閉じられ、弁体２０が弁座１４から離座すると流入口１１が開く。コイルバネ２５は、一端が弁体２０に接し他端がバネ受け部材３０に接している。コイルバネ２５は、弁体２０を流入口１１へ付勢するものであり、本発明に係るバネを構成している。
【００１８】
バネ受け部材３０は、コイルバネ２５を受けて支持するものである。バネ受け部材３０は、平面視が円形のやや浅い容器状に形成された本体３１を有している。本体３１の縁（外周）には、径方向外方へ突出する複数（本実施形態では、４つ）の突片３３，３４，３５，３６が形成されている。突片３３，３４，３５，３６は、互いに等間隔で設けられており、本発明に係るバネ受け部材３０の外縁部を構成している。本体３１は、内径がコイルバネ２５の外径よりも若干大きく形成されており、コイルバネ２５の他端が嵌っている。本体３１には、流体が流れる円形の流通孔３２が形成されている。
【００１９】
ケーシング１０の内周面（弁室１３の内周面）には、径方向内方へ突出する複数（本実施形態では、４つ）のリブ１５が形成されている。リブ１５は、ケーシング１０の軸方向に延びる略矩形体に形成されている。リブ１５は、ケーシング１０を補強すると共にバネ受け部材３０を支持する機能を有しており、本発明に係る支持部を構成している。図３に示すように、バネ受け部材３０は、本体３１の外径がリブ１５の内径よりも小さく形成されており、突片３３，３４，３５，３６の外径がケーシング１０の内径（内周面の径）よりも小さくリブ１５の内径よりも大きく形成されている。各リブ１５の先端面１７（径方向における端面）には、バネ受け部材３０の突片３３，３４，３５，３６がケーシング１０の周方向に挿入されて支持される周方向溝１６が形成されている。バネ受け部材３０は、突片３３，３４，３５，３６がリブ１５の周方向溝１６に挿入されることにより、ケーシング１０の軸方向の変位が制限される。周方向溝１６は、リブ１５の幅方向（ケーシング１０の周方向）に延びるものであり、リブ１５の幅全体に亘って形成されている。
【００２０】
そして、本実施形態の逆止弁１は、突片３３，３４，３５，３６がリブ１５の周方向溝１６に挿入されたバネ受け部材３０がケーシング１０の周方向に回転するのを防止する回転防止機構を備えている。回転防止機構は、図３に示すように、第２突片３４の一部である一つの折り曲げ片（左側片３４ａ）と、一つのネジ３７とで構成されている。
【００２１】
具体的に、バネ受け部材３０の２つの第１突片３３および第２突片３４は、やや中央に切欠き部３３ｃ，３４ｃが形成されて、左側片３３ａ，３４ａと右側片３３ｂ，３４ｂとに分かれている。第１突片３３では２つに分かれた片のうち左側片３３ａが周方向溝１６に挿入され、第２突片３４では２つに分かれた片のうち右側片３４ｂが周方向溝１６に挿入される。そして、第２突片３４の左側片３４ａは、ケーシング１０の軸方向（下流側）に折り曲げられる。左側片３４ａ（折り曲げ片）は、右側片３４ｂが挿入されたリブ１５の側面に当たるように折り曲げられる。
【００２２】
バネ受け部材３０の残りの第３突片３５および第４突片３６は、切欠き部は形成されておらず、対応するリブ１５の周方向溝１６に挿入されている。そして、第４突片３６には、一つのネジ３７が締結されている。ネジ３７は、ケーシング１０の軸方向に締結され、頭部が下流側（流出口１２側）に位置している。ネジ３７は、頭部が、第４突片３６が挿入されるリブ１５の側面と当たる位置に締結されている。
【００２３】
このように、回転防止機構では、頭部がリブ１５のケーシング１０の周方向一端側と当たる位置に締結されるネジ３７と、ケーシング１０の軸方向に折り曲げれて、ネジ３７が当たるリブ１５とは別のリブ１５のケーシング１０の周方向他端側と当たる左側片３４ａ（折り曲げ片）とで構成されている。この構成では、ネジ３７がリブ１５の周方向一端側の側面と当たることによりバネ受け部材３０が図３において左回りに回転するのを防止することができ、左側片３４ａ（折り曲げ片）がリブ１５の周方向他端側の側面と当たることによりバネ受け部材３０が図３において右回りに回転するのを防止することができる。こうして、バネ受け部材３０の回転が防止されることにより、バネ受け部材３０が回転して突片３３，３４，３５，３６が周方向溝１６から抜け出るのを防止できるので、バネ受け部材３０がケーシング１０の流出口１２から抜け出すのを防止することができる。
【００２４】
上記実施形態の逆止弁１では、上流側（流入口１１側）の流体圧力が、下流側（流出口１２側）の流体圧力（コイルバネ２５の付勢力含む）よりも高くなると、弁体２０が下流側へ変位して離座し、流入口１１が開く。これにより、流入口１１から流出口１２への流体の流れが許容される。また、上流側（流入口１１側）の流体圧力が、下流側（流出口１２側流）の流体圧力（コイルバネ２５の付勢力含む）よりも低くなると、弁体２０が上流側へ変位して着座し、流入口１１が閉じられる。これにより、流出口１２から流入口１１への流体の流れが阻止される。
【００２５】
〈バネ受け部材の取付け動作および取外し動作〉
上記実施形態の逆止弁１では、バネ受け部材３０をケーシング１０内に取り付ける際、先ず、ネジ３７が締結されておらず、且つ、左側片３４ａが予め折り曲げられた状態のバネ受け部材３０を流出口１２から弁室１３に挿入する。ここで、当然であるが、バネ受け部材３０は突片３３，３４，３５，３６がリブ１５と干渉しない角度、即ち突片３３，３４，３５，３６がリブ１５とリブ１５の間に位置する角度で挿入される。そして、弁室１３に挿入したバネ受け部材３０を回転させて突片３３，３４，３５，３６をリブ１５の周方向溝１６に挿入する。そして、ネジ３７を締結する。こうして、バネ受け部材３０の取付けが完了する。なお、左側片３４ａは、弁室１３においてバネ受け部材３０を回転させて突片３３，３４，３５，３６をリブ１５の周方向溝１６に挿入した後に、折り曲げるようにしてもよい。
【００２６】
次に、点検やメンテナンス時にバネ受け部材３０を弁室１３から取り外す際、先ず、ネジ３７を外す。その際、ドライバーを流出口１２から挿入してネジ３７を回すだけでよいため容易にネジ３７を外すことができる。ネジ３７を外すことにより、バネ受け部材３０は一方向（図３において左回り）の回転動作が許容される。そして、ネジ３７が外されたバネ受け部材３０を図３において左回りに回転させて、突片３３，３４，３５，３６を周方向溝１６から抜く。そして、バネ受け部材３０を軸方向に取り出す。こうして、バネ受け部材３０の取外しが完了する。
【００２７】
以上のように、上記実施形態の逆止弁１では、一つのネジ３７を外すだけでバネ受け部材３０の一方向の回転動作を許容することができる。したがって、バネ受け部材３０の取外し作業が容易（簡易）となる。その結果、逆止弁１の点検やメンテナンスが行いやすくなる。また、ネジ３７を締結するだけでバネ受け部材３０の一方向の回転動作を阻止することができるので、バネ受け部材３０の取付け作業も容易（簡易）となる。
【００２８】
なお、本発明は、上記実施形態のバネ受け部材３０においてネジ３７を締結する突片と折り曲げ片を形成する突片は上述したものに限られない。例えば、隣り合う２つの突片３３，３４，３５，３６の一方にネジ３７を締結し他方に折り曲げ片を形成するようにしてもよい。また、一つの突片３３，３４，３５，３６にネジ３７と折り曲げ片の両方を設けるようにしてもよい。
【００２９】
また、本発明は、上記実施形態のバネ受け部材３０において折り曲げ片に代えてネジを締結するようにしてもよい。つまり、第４突片３６と同様に、例えば第２突片３４における左側片３４ａに相当する部分にネジを締結して、２つのネジでバネ受け部材３０の両方向（図３において左回りおよび右回り）の回転動作を防止するようにしてもよい。
【００３０】
（実施形態２）
本発明の実施形態２について図４〜図６を参照しながら説明する。本実施形態の逆止弁１は、液体や気体等の流体が流れる配管に設けられるものである。図４に示すように、逆止弁１は、ケーシング４０と、弁体５０と、コイルバネ５５と、バネ受け部材６０とを備えている。本実施形態の逆止弁１は、上記実施形態１の逆止弁１とは弁体５０やバネ受け部材６０の形状が異なる。
【００３１】
ケーシング４０は、略円筒状に形成されており、軸方向が流体の流れ方向と一致している。ケーシング４０では、軸方向両端に流入口４１と流出口４２が形成されている。つまり、ケーシング４０は、上流側の一端に流入口４１が形成され、下流側の他端に流出口４２が形成されている。流入口４１および流出口４２は円形に形成されており（図２および図３参照）、流出口４２は流入口４１よりも開口面積が大きく形成されている。ケーシング４０は、内部が弁室４３となっている。流入口４１の内縁部には、環状の弁座４４が形成されている。
【００３２】
弁室４３には、上流側（流入口４１側）から順に、弁体５０、コイルバネ５５およびバネ受け部材６０が収容されている。ケーシング４０、弁体５０、コイルバネ５５およびバネ受け部材６０は、互いに同軸に設けられている。
【００３３】
弁体５０は、本体５１と軸部５２を有している。本体５１は、平面視が円形に形成され、中央部が下流側（流出口４２側）に湾曲した形状となっている。軸部５２は、ケーシング４０の軸方向に延びる棒状に形成され、本体５１の中央に設けられている。軸部５２は、本体５１から上流側（流入口４１側）および下流側（流出口４２側）へ突出する状態で設けられている。ケーシング４０の流入口４１側には、弁体５０の軸部５２を支持するハブ４５が設けられ、このハブ４５は連結部４６によって流入口４１の内縁部に支持されている。弁体５０は、流入口４１を開閉するものである。つまり、弁体５０が弁座４４に着座すると流入口４１が閉じられ、弁体５０が弁座４４から離座すると流入口４１が開く。コイルバネ５５は、一端が弁体５０の本体５１に接し他端がバネ受け部材６０に接している。コイルバネ５５は、弁体５０を流入口４１へ付勢するものであり、本発明に係るバネを構成している。
【００３４】
バネ受け部材６０は、コイルバネ５５を受けて支持するものである。バネ受け部材６０は、板状部材がコ字状（図４参照）に屈曲した本体６１を有している。本体６１には、径方向外方へ延びる２つの第１端部６３および第２端部６４が連続して形成されている。つまり、バネ受け部材６０は全体として平面視でケーシング４０の径方向に延びる矩形に形成されている。２つの第１端部６３および第２端部６４は、本発明に係るバネ受け部材６０の外縁部を構成している。本体６１には、コイルバネ５５の他端が嵌っている。また、本体６１の中央には弁体５０の軸部５２を支持する挿入孔６２が形成されている。
【００３５】
ケーシング４０の内周面（弁室４３の内周面）には、径方向内方へ突出する２つのリブ４７が形成されている。２つのリブ４７は、互いに１８０°ずれた位置に形成されている。リブ４７は、ケーシング４０の軸方向に延びる略矩形体に形成されている。リブ４７は、ケーシング４０を補強すると共にバネ受け部材６０を支持する機能を有しており、本発明に係る支持部を構成している。図６に示すように、バネ受け部材６０は、長さがケーシング４０の内径（内周面の径）よりも小さくリブ４７の内径よりも大きく形成されている。各リブ４７の先端面（径方向における端面）には、バネ受け部材６０の第１端部６３および第２端部６４がケーシング４０の周方向に挿入されて支持される周方向溝４８が形成されている。バネ受け部材６０は、第１端部６３および第２端部６４がリブ４７の周方向溝４８に挿入されることにより、ケーシング４０の軸方向の変位が制限される。周方向溝４８は、リブ４７の幅方向（ケーシング４０の周方向）に延びるものであり、リブ４７の幅全体に亘って形成されている。
【００３６】
さらに、２つのリブ４７の少なくとも一方（本実施形態では両方のリブ４７）の先端面には、ケーシング４０の軸方向に延びる軸方向溝４９が形成されている。軸方向溝４９は、リブ４７の幅方向における略中央に形成されている。リブ４７では、軸方向溝４９が形成されることによって左側リブ４７ａと右側リブ４７ｂとに分かれる。
【００３７】
そして、本実施形態の逆止弁１は、第１端部６３および第２端部６４がリブ４７の周方向溝４８に挿入されたバネ受け部材６０がケーシング４０の周方向に回転するのを防止する回転防止機構を備えている。この回転防止機構は、図６に示すように、一つのネジ６５およびその座金６６で構成されている。なお、本発明に係るネジとは、それに用いる座金を含む概念である。その際、座金はネジに一体形成されているものや別体として用いられるものを含む。
【００３８】
バネ受け部材６０の第１端部６３および第２端部６４の一方には、ネジ６５およびその座金６６が締結されている。ネジ６５は、第１端部６３および第２端部６４がリブ４７の周方向溝４８に挿入された状態で、座金６６の少なくとも一部がリブ４７の軸方向溝４９に嵌る位置に締結されている。なお、本発明に係る「ネジの頭部」とは座金を含む概念である。この構成では、座金６６の少なくとも一部が軸方向溝４９に嵌ることにより、座金６６が左側リブ４７ａと右側リブ４７ｂ（即ち、軸方向溝４９の両壁）に当たるので、バネ受け部材６０が図６において両方向（図６において左回りおよび右回り）に回転するのを防止することができる。こうして、バネ受け部材６０の回転が防止されることにより、バネ受け部材６０が回転して第１端部６３および第２端部６４が周方向溝４８から抜け出るのを防止できるので、バネ受け部材６０がケーシング４０の流出口４２から抜け出すのを防止することができる。
【００３９】
なお、バネ受け部材６０の第１端部６３および第２端部６４には、その周方向端部に突出部６３ａ，６４ａが形成されている。各突出部６３ａ，６４ａは、リブ４７の周方向溝４８よりも径方向外方へ突出している。つまり、２つの突出部６３ａ，６４ａは、バネ受け部材６０を一定の方向（本実施形態では図６において右回り）に回転させたとき、それぞれがリブ４７の側面に当たるようになっている。
【００４０】
上記実施形態の逆止弁１では、上流側（流入口４１側）の流体圧力が、下流側（流出口４２側）の流体圧力（コイルバネ５５の付勢力含む）よりも高くなると、弁体５０が下流側へ変位して離座し、流入口４１が開く。これにより、流入口４１から流出口４２への流体の流れが許容される。また、上流側（流入口４１側）の流体圧力が、下流側（流出口４２側流）の流体圧力（コイルバネ５５の付勢力含む）よりも低くなると、弁体５０が上流側へ変位して着座し、流入口４１が閉じられる。これにより、流出口４２から流入口４１への流体の流れが阻止される。なお、弁体５０が変位する際、弁体５０の軸部５２はハブ４５およびバネ受け部材６０において摺動する。
【００４１】
〈バネ受け部材の取付け動作および取外し動作〉
上記実施形態の逆止弁１では、バネ受け部材６０をケーシング４０内に取り付ける際、先ず、ネジ６５および座金６６が締結されていない状態のバネ受け部材６０を流出口４２から弁室４３に挿入する。ここで、当然であるが、バネ受け部材６０は第１端部６３および第２端部６４がリブ４７と干渉しない角度、即ち第１端部６３および第２端部６４がリブ４７とリブ４７の間に位置する角度で挿入される。そして、弁室４３に挿入したバネ受け部材６０を各突出部６３ａ，６４ａがリブ４７の側面に当たるまで回転させて、第１端部６３および第２端部６４をリブ４７の周方向溝４８に挿入する。そして、各突出部６３ａ，６４ａをリブ４７の側面に押し当ててバネ受け部材６０の回転を防止した状態で、ネジ６５および座金６６を締結する。つまり、突出部６３ａ，６４ａは、ネジ６５および座金６６を締結する際のバネ受け部材６０の位置決め機能を果たしている。こうして、バネ受け部材６０の取付けが完了する。
【００４２】
次に、点検やメンテナンス時にバネ受け部材６０を弁室４３から取り外す際、先ず、ネジ６５および座金６６を外す。その際、ドライバーを流出口４２から挿入してネジ６５を回すだけでよいため容易にネジ６５および座金６６を外すことができる。ネジ６５および座金６６を外すことにより、バネ受け部材６０は両方向（図６において左回りおよび右回り）の回転動作が許容される。そして、ネジ６５および座金６６が外されたバネ受け部材６０を図６において左回りまたは右回りに回転させて、第１端部６３および第２端部６４を周方向溝４８から抜く。そして、バネ受け部材６０を軸方向に取り出す。こうして、バネ受け部材６０の取外しが完了する。
【００４３】
以上のように、上記実施形態の逆止弁１では、一つのネジ６５および座金６６を外すだけでバネ受け部材６０の両方向の回転動作を許容することができる。したがって、バネ受け部材６０の取外し作業が容易（簡易）となる。その結果、逆止弁１の点検やメンテナンスが行いやすくなる。また、一つのネジ６５および座金６６を締結するだけでバネ受け部材６０の両方向の回転動作を阻止することができるので、バネ受け部材６０の取付け作業も容易（簡易）となる。
【００４４】
なお、上記実施形態では、座金６６の少なくとも一部が軸方向溝４９に嵌るようにしたが、本発明はこれに限らず、座金６６を省略してネジ６５のみを締結し、ネジ６５の頭部の少なくとも一部が軸方向溝４９に嵌るようにしてもよい。
【産業上の利用可能性】
【００４５】
本発明は、弁体を付勢するバネのバネ受け部材を備えた逆止弁について有用である。
【符号の説明】
【００４６】
１        逆止弁
１０,４０      ケーシング
１１,４１      流入口
１２,４２      流出口
１５,４７      リブ（支持部）
１６,４８      周方向溝
２０,５０      弁体
２５,５５      コイルバネ（バネ）
３０,６０      バネ受け部材
３４      第２突片（外縁部）
３４ａ    左側片（折り曲げ片、回転防止機構）
３６      第４突片（外縁部）
３７      ネジ（回転防止機構）
６３      第１端部（外縁部）
６５      ネジ（回転防止機構）
６６      座金（回転防止機構）
【図１】
0006371150.tif 000002
【図２】
0006371150.tif 000003
【図３】
0006371150.tif 000004
【図４】
0006371150.tif 000005
【図５】
0006371150.tif 000006
【図６】
0006371150.tif 000007